(57)【特許請求の範囲】
【請求項１】
第１の筐体と、第２の筐体と、前記第１の筐体と前記第２の筐体を互いに接近および離間する方向に回動可能に連結する連結部と、前記第１の筐体に配された投写部と、前記第２の筐体に配され、前記第１の筐体との間の回動角が第１の角度範囲にあるときに前記投写部から出射された光を反射する反射部と、を有する画像投写機能付き端末装置において、
画像投写に関する操作部を、前記第１の筐体と前記第２の筐体の外側面のうち、前記投写部と前記反射部が配されていない外側面に配したことを特徴とする画像投写機能付き端末装置。
【請求項２】
請求項１において、
前記第１の筐体と前記第２の筐体の間の回動角を検知する検知部を備え、
前記投写部は、前記検知部によって検知される回動角が前記第１の角度範囲内の第２の角度範囲にあるときに映像信号に基づく光を投写することを特徴とする画像投写機能付き端末装置。
【請求項３】
請求項２において、
前記投写部から出射される光を遮るシャッターと、
前記検知部によって検知される回動角が前記第２の角度範囲以外にあるときに前記シャッターを機能させる遮光制御部と、をさらに備えることを特徴とする画像投写機能付き端末装置。
【請求項４】
請求項１ないし３の何れか一項において、
前記反射部の反射面が曲面形状であることを特徴とする画像投写機能付き端末装置。
【発明の詳細な説明】
【技術分野】
【０００１】
本発明は、壁やスクリーン等の被投写面に画像を投写する機能を備えた端末装置に関するものであり、たとえば、携帯電話機等に適用して好適なものである。
【背景技術】
【０００２】
従来、携帯端末装置には、文字や画像を表示するための表示部が配されている。ここで、表示部には、通常、液晶パネルが配されており、背面側からの光（バックライト光）を液晶パネルにて変調することにより、表示部上に映像信号に応じて画像が表示されるものとなっている。
【０００３】
以下の特許文献１には、液晶パネルの他に画像投写用の小型プロジェクタを有する携帯電話機が示されている。この構成例では、折り畳み式の携帯電話機の回動部にプロジェクタが内蔵され、回動部の背面にプロジェクタの投写口が設けられている。したがって、映像信号によって変調された光は、携帯電話機の背面からスクリーンに向けて投写されることとなる。
【特許文献１】特開２００５−２９２４２８号公報
【発明の開示】
【発明が解決しようとする課題】
【０００４】
携帯電話機等の携帯端末装置は、手に持って使用されることが多く、容易に向きが変えられる。また、机等に置かれた場合にも、小型・軽量であるため、少しの外力によって容易に位置や向きが変化する。さらに、折り畳み式の場合には、軽く触れただけで本体と回動部の角度が変えられる。このような性質から、携帯端末装置にプロジェクタ機能を持たせる場合には、プロジェクタから投写された光が、何らかの要因によって容易に、スクリーン方向とは異なる方向に向かう可能性があることに配慮する必要がある。
【０００５】
本発明は、かかる点に鑑みてなされたものであり、携帯端末装置にプロジェクタ機能を持たせる場合にも、プロジェクタから投写された光がスクリーン以外の方向に不所望に向けられる可能性を効果的に抑制し、これにより、プロジェクタ機能使用時の安全性を高めることを目的とするものである。
【課題を解決するための手段】
【０００６】
本発明の第１の態様は、画像投写機能付き端末装置において、第１の筐体と、第２の筐体と、前記第１の筐体と前記第２の筐体を互いに接近および離間する方向に回動可能に連結する連結部と、前記第１の筐体に配された投写部と、前記第２の筐体に配され、前記第１の筐体との間の回動角が第１の角度範囲にあるときに前記投写部から出射された光を反射する反射部とを有することを特徴とする。
【０００７】
第１の態様によれば、第１の筐体と第２の筐体の間の回動角が第１の角度範囲にあるときに、投写部から出射された光が反射部で反射されてスクリーンに投写される。よって、投写動作時に、たとえば、操作者が誤って触れるなどして、第１の筐体が第２の筐体に接近する方向に不所望に回動したとしても、投写部から出射された光は、第２の筐体の表面へと向かい、外部に出射されることはない（たとえば、図６（ｂ）参照）。
【０００８】
このように、第１の態様によれば、投写動作時に第１の筐体が誤って回動した場合にも、投写部から出射された光がスクリーン以外の方向に不所望に向けられる可能性を抑制することができ、よって、プロジェクタ機能使用時の安全性を高めることができる。
【０００９】
本発明の第２の態様は、第１の態様に係る画像投写機能付き端末装置において、前記第１の筐体と前記第２の筐体の間の回動角を検知する検知部を備え、前記投写部は、前記検知部によって検知される回動角が前記第１の角度範囲内の第２の角度範囲にあるときに映像信号に基づく光を投写することを特徴とする。
【００１０】
第１の態様によれば、光の出射が可能な範囲が第１の角度範囲に制限されるため、投写動作時に第１の筐体が誤って回動した場合には、光の出射が中止され、よって、光がスクリーン以外の方向に不所望に向けられる可能性をさらに抑制することができる。
【００１１】
本発明の第３の態様は、第２の態様に係る画像投写機能付き端末装置において、前記投写部から出射される光を遮るシャッターと、前記検知部によって検知される回動角が前記第２の角度範囲以外にあるときに前記シャッターを機能させる遮光制御部とをさらに備えることを特徴とする。
【００１２】
第３の態様によれば、回動角が第２の角度範囲以外にあるときに万一、投写部から光が出射されたとしても、シャッターにて外部への出射が阻止されるため、安全性をさらに高めることができる。
【００１３】
本発明の第４の態様は、第１ないし第３の態様の何れかに係る画像投写機能付き端末装置において、前記反射部の反射面が曲面形状であることを特徴とする。
【００１４】
第４の態様によれば、反射部にて反射された後の光を反射される前よりも広角化することができるため、スクリーン上の投写領域を円滑かつ効果的に広げることができる。
【００１５】
本発明の第５の態様は、第１ないし第４の態様の何れかに係る画像投写機能付き端末装置において、画像投写に関する操作部を、前記第１の筐体と前記第２の筐体の外側面のうち前記投写部と前記反射部が配されていない外側面に配したことを特徴とする。
【００１６】
第５の態様によれば、投写動作時における操作性を向上させることができる。また、操作時に誤って第１の筐体を回動させる可能性が低下するため、安全性を高めることができる。
【発明の効果】
【００１７】
以上のとおり本発明によれば、投写された光がスクリーン以外の方向に不所望に向けられる可能性を効果的に抑制することができ、プロジェクタ機能使用時の安全性を高めることができる。
【００１８】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００１９】
以下、本発明の実施の形態につき図面を参照して説明する。本実施の形態は、携帯電話機に本発明を適用したものである。
【００２０】
図１は、実施の形態に係る携帯電話機の外観構成を示す図である。図示の如く、携帯電話機は、上部筺体１１と、下部筺体１２と、上部筺体１１を下部筺体１２に回動可能に装着するヒンジ部１３を備えている。上部筺体１１の正面側には、メイン表示部１４と、プロジェクタ部１５（投写窓）と、プロジェクタ部１５（投写窓）を開閉するシャッター１６と、通話用スピーカ１７が配されている。また、下部筺体１２の正面側には、メイン操作ボタン部１８と、マイク１９と、ミラー部２０が配されている。さらに、上部筺体１１の背面側には、サブ表示部２１および外部スピーカ２２が配されており、下部筺体１２の背面側には、カメラ２３と、バッテリー格納部２４と、給電端子２５と、給電プラグを接続するプラグ接続部２６が配されている。なお、下部筐体１２の側面には、サブ操作ボタン部２７（図２参照）が配されている。サブ操作ボタン部２７には、画像送りボタン等、プロジェクタモード時に行われる操作に必要な操作ボタンが配されている。
【００２１】
図２は、プロジェクタ部１５とミラー部２０の関係を示す図である。図示の如く、ミラー部２０は、下部筐体１２に対する上部筐体１１の回動角がθ０にあるときに、プロジェクタ部１５から出射された投写光が適正に入射される位置に配されている。ここで、プロジェクタ部１５からの投写光は、θ０＋Δθａ≦θ≦θ０−Δθｂの範囲（第１の角度範囲）においてミラー部２０に入射するが、回動角がθ０にあるときに最も良好に、スクリーンに画像が投写されるよう、ミラー部２０の位置と形状が調整されている。
【００２２】
なお、ミラー部２０は、ミラー面が、入射前の投写光の広がり角を反射によってさらに広げる（広角化する）形状（曲面形状）となっている。図２（ａ）は、ミラー部２０のミラー面が凹曲面である場合を示し、図２（ｂ）は、ミラー部２０のミラー面が凸曲面である場合を示している。
【００２３】
同図（ａ）では、下部筐体１２の上面から隆起した壁部１２ａが下部筐体１２の端縁に沿って形成され、この壁部１２ａが一部欠如した箇所にミラー部２０が設置されている。同図（ｂ）においても、同図（ａ）と同様に、下部筐体１２の上面から隆起した壁部１２ａが下部筐体１２の端縁に沿って形成され、この壁部１２ａが一部欠如した箇所にミラー部２０が設置されている。なお、同図（ｂ）の場合には、物体がミラー面に接触するのを防ぐために、ミラー面上端の高さを壁部１２ａの高さよりもやや低く設定するのが好ましい。
【００２４】
図３は、プロジェクタ部１５の構成を示す図である。プロジェクタ部１５は、光源部１５１と、導光光学系１５２と、可動ミラー１５３とを備える。これらは、ケース１５４内に収容されている。
【００２５】
光源部１５１には、赤色レーザ部１５１ａと、緑色レーザ部１５１ｂと、青色レーザ部１５１ｃが備えられている。赤色レーザ部１５１ａ、緑色レーザ部１５１ｂおよび青色レーザ部１５１ｃからは、それぞれ、赤色のレーザ光（以下、「Ｒ光」という）、緑色のレーザ光（以下、「Ｇ光」という）および青色のレーザ光（以下、「Ｂ光」という）が出射される。
【００２６】
導光光学系１５２は、反射ミラー１５２ａと、２つのダイクロイックキューブ１５２ｂ、１５２ｃとで構成されている。ダイクロイックキューブ１５２ｂは、Ｇ光を反射するとともに、Ｒ光を透過させる。ダイクロイックキューブ１５２ｃは、Ｂ光を反射するとともに、Ｒ光およびＧ光を透過させる。
【００２７】
赤色レーザ部１５１ａから出射されたＲ光は、反射ミラー１５２ａにて反射された後、２つのダイクロイックキューブ１５２ｂ、１５２ｃを透過して可動ミラー１５３へ入射する。また、緑色レーザ部１５１ｂから出射されたＧ光は、ダイクロイックキューブ１５２ｂにて反射された後、ダイクロイックキューブ１５２ｃを透過して可動ミラー１５３へ入射する。さらに、青色レーザ部１５１ｃから出射されたＢ光は、ダイクロイックキューブ１５２ｃにて反射され、可動ミラー１５３へ入射する。
【００２８】
可動ミラー１５３は、ＭＥＭＳ（micro electro mechanical systems）で構成され、ミラー１５３ａと、アクチュエータ１５３ｂとを備える。アクチュエータ１５３ｂは、２軸型であり、電磁力や圧電素子、静電力などの駆動力によって、ミラー１５３ａを２次元方向に回動させる。
【００２９】
可動ミラー１５３のミラー１５３ａに入射したＲ光、Ｇ光、Ｂ光は、ミラー１５３ａの回動角度に応じた方向に反射される。図２に示す状態において、ミラー１５３ａがアクチュエータ１５３ｂにより２次元方向に回動されることによって、Ｒ光、Ｇ光、Ｂ光が被投写面（スクリーン）上において２次元的に走査される。これにより、Ｒ光、Ｇ光、Ｂ光によって合成された画像が被投写面に映し出される。
【００３０】
ケース１５４は、放熱性をよくするため金属材料からできている。ケース１５４には、可動ミラー１５３で反射されたレーザ光を通過させて外部に導くための投写窓１５４ａが形成されている。
【００３１】
図４は、シャッター１６の構成を示す図である。同図（ａ）および（ｂ）は、シャッター１６をスライド式にて構成したときの状態を示し、同図（ｃ）および（ｄ）は、シャッター１６を液晶シャッターにて構成したときの状態を示している。
【００３２】
同図（ａ）および（ｂ）を参照して、上部筐体１１には、投写窓１５４ａの配置位置に開口１６ａが形成され、この開口１６ａと投写窓１５４ａの間に、シャッター板１６ｂがスライド可能に配されている。シャッター板１６ｂは、たとえば、プランジャー等を備える駆動機構によってスライド方向に駆動される。同図（ａ）は、開口１６ａがシャッター板１６ｂによって塞がれた状態を示している。この状態から、駆動機構を駆動し、同図（ｂ）に示す如くシャッター板１６ｂをスライドさせると、投写窓１５４ａが外部に開放される。同図（ｂ）の状態にてプロジェクタ部１５を駆動すると、投写光が投写窓１５４ａから外部に出射される。
【００３３】
同図（ｃ）および（ｄ）の構成例では、開口１６ａと投写窓１５４ａの間に、液晶シャッター１６ｃが配されている。同図（ｃ）は、液晶シャッター１６ｃを遮光状態に設定したときの状態を示している。この状態では、開口１６ａが液晶シャッター１６ｃによって塞がれ、投写窓１５４からの投写光は液晶シャッター１６ｃによって遮光される。この状態から、液晶シャッター１６ｃを光透過状態に切り替えると、同図（ｄ）に示す如く、投写窓１５４ａが外部に開放される。この状態にてプロジェクタ部１５を駆動すると、投写光が液晶シャッター１６ｃを透過して外部に出射される。
【００３４】
図５は、携帯電話機の回路系を示す図である。なお、同図には、便宜上、プロジェクタ部１５が重ねて図示されている。
【００３５】
携帯電話機の回路系は、ミラードライバ２００と、レーザドライバ２０１と、シャッタードライバ２０２と、パネルドライバ２０３と、画像処理ユニット２０４と、キーユニット２０５と、カメラユニット２０６と、マイク／スピーカユニット２０７と、通信処理ユニット２０８と、電源ユニット２０９と、センサユニット２１０と、コントローラ２１１を備えている。
【００３６】
ミラードライバ２００は、プロジェクタ機能の動作時に、コントローラ２１１からの制御に応じてアクチュエータ１５３ｂを駆動する。レーザドライバ２０１は、プロジェクタ機能の動作時に、コントローラ２１１からの制御に応じて光源部１５１を駆動する。シャッタードライバ２０２は、コントローラ２１１からの制御に応じて、上述のシャッター１６を駆動する。パネルドライバ２０３は、画像処理ユニット２０４からの駆動信号に応じて、メイン表示部１４を構成する液晶パネルおよびサブ表示部２１を構成する液晶パネル上に所定の画像を描画する。
【００３７】
画像処理ユニット２０４は、外部から入力された映像信号や、通信処理ユニット２０８を介して入力される文字／映像データ（電子メールにて受信したデータ等）、カメラユニット２０６を介して入力される画像データおよびキーユニット２０５を介して入力される文字データ等を処理してメイン表示部１４上に画像を描画するための駆動信号を生成し、生成した駆動信号をパネルドライバ２０３に供給する。
【００３８】
また、画像処理ユニット２０４は、プロジェクタ機能の動作時に、スクリーン上に画像を表示するための画像情報をコントローラ２１１に供給する。さらに、画像処理ユニット２０４は、コントローラ２１１からの指令に応じて、電波受信状態やバッテリー残量、および、所定の定型画面を表示するための駆動信号をパネルドライバ２０３に供給する。
【００３９】
キーユニット２０５は、図１および図２に示すメイン操作ボタン部１８およびサブ操作ボタン部２７を備え、キー操作に応じた信号をコントローラ２１１および画像処理ユニット２０４に供給する。カメラユニット２０６は、図１に示すカメラ２３を備え、これによって撮像された画像の信号を画像処理ユニット２０４に出力する。
【００４０】
マイク／スピーカユニット２０７は、図１に示すマイク１９と通話用スピーカ１７および外部スピーカ２２を備え、通話時にマイク１９から入力された音声信号を、通話先からの音声信号に合成して通話用スピーカ１７から出力するとともに、通信処理ユニット２０８を介して通話先の電話機に送信する。さらに、マイク／スピーカユニット２０７は、コントローラ２１１からの指令に応じて、所定の定型音声を通話用スピーカ１７および外部スピーカ２２から出力する。
【００４１】
通信処理ユニット２０８は、アンテナと通信処理回路を備え、他の端末装置との通信処理を行う。電源ユニット２０９は、図１に示すバッテリー格納部２４、給電端子２５およびプラグ接続部２６を備え、電源を各部に供給する。
【００４２】
センサユニット２１０は、携帯電話機本体の加速度を検出する加速度センサ、水平状態に対する携帯電話機本体の傾斜状態を検出する傾斜センサおよび下部筺体１２に対する上部筺体１１の回動角（折りたたみ角度）を検出するヒンジセンサを備え、これらセンサによる検出結果をコントローラ２１１に供給する。
【００４３】
次に、図６を参照して、携帯電話機の表示動作について説明する。
【００４４】
ノーマル表示モードにおいて、電源ＯＮ操作がなされると、コントローラ２１１は、まず、シャッタードライバ２０２がシャッター作動状態（図４（ａ）または（ｃ）参照）に設定されているかを判別する（Ｓ１０１）。ここで、シャッター作動状態にあれば（Ｓ１０１：ＹＥＳ）、コントローラ２１１は、電源ＯＮの制御を行い（Ｓ１０２）、シャッター作動状態になければ（Ｓ１０１：ＮＯ）、シャッタードライバ２０２をシャッター作動状態に設定した後（Ｓ１０３）、電源ＯＮの制御を行う（Ｓ１０２）。
【００４５】
しかる後、コントローラ２１１は、所定の画像をメイン表示部１４またはサブ表示部２１に表示させる指令を画像処理ユニット２０４に出力する。これに応じて、画像処理ユニット２０４は、パネルドライバ２０３に駆動信号を出力し、これにより、所定の画像が、メイン表示部１４またはサブ表示部２１に表示される（Ｓ１０４）。
【００４６】
このとき、同時に、コントローラ２１１は、光源部１５１およびアクチュエータ１５３ｂを非駆動状態に設定し（Ｓ１０５）、この状態をプロジェクタモードが設定されるまで維持する（Ｓ１０６）。
【００４７】
しかる後、ユーザによりプロジェクタモードが設定されると（Ｓ１０６：ＹＥＳ）コントローラ２１１は、センサユニット２１０内の傾斜センサからの信号を参照し、携帯電話機が机や床等に載置された状態にあるかを判別する（Ｓ１０７）。ここで、携帯電話機が載置状態になければ（Ｓ１０７：ＮＯ）、コントローラ２１１は、携帯電話機を机等に載置することを要求する通知を、マイク／スピーカユニット２０７に出力させる（Ｓ１０８）。
【００４８】
携帯電話機が載置状態にあれば（Ｓ１０７：ＹＥＳ）、コントローラ２１１は、センサユニット２１０内のヒンジセンサからの信号を参照し、上部筐体１１の回動角度が、スクリーンに投写を行うための角度範囲（第２の角度範囲：θ０＋Δθｐ≦θ≦θ０−Δθｑ）内にあるかを判別する（Ｓ１０９）。なお、第２の角度範囲は、プロジェクタ部１５からの投写光がミラー部２０に入射し得る上述の角度範囲（第１の角度範囲：θ０＋Δθａ≦θ≦θ０−Δθｂ）よりも狭い範囲に設定され、スクリーンに適正に投写が行われる角度範囲θ０からややずれた角度範囲をカバーするものとなっている。
【００４９】
上部筐体１１の回動角度が、第２の角度範囲内になければ（Ｓ１０９：ＮＯ）、コントローラ２１１は、上部筐体１１の回動角度を適正角度に調整することを要求する通知を、マイク／スピーカユニット２０７に出力させる（Ｓ１１０）。
【００５０】
上部筐体１１の回動角度が、第２の角度範囲内にあれば（Ｓ１０９：ＹＥＳ）、コントローラ２１１は、表示モードをノーマル表示モードからプロジェクタモードに切り替える処理を行う。すなわち、コントローラ２１１は、光源部１５１およびアクチュエータ１５３ｂを駆動状態に設定し（Ｓ１１１）、また、シャッタードライバ２０２を、シャッター非作動状態（図４（ｂ）または（ｄ）参照）に設定する（Ｓ１１２）。さらに、メイン表示部１４に対する表示を中止し（Ｓ１１３）、画像処理ユニット２０４に対し、スクリーン上に画像を表示するための画像情報を供給させる。コントローラ２１１は、この画像情報に基づいて、レーザドライバ２０１とミラードライバ２００を同期駆動する。これにより、スクリーン上の表示領域をＲ光、Ｇ光、Ｂ光が走査し、所定の画像が投写される。しかして、プロジェクタモードによる表示が開始される（Ｓ１１４）。
【００５１】
次に、図７を参照して、プロジェクタモード時において投写を中止する場合の動作について説明する。
【００５２】
まず、同図（ａ）を参照して、プロジェクタモードの進行中、コントローラ２１１は、センサユニット２１０内のヒンジセンサからの信号を参照し、上部筐体１１の回動角度が第２の角度範囲（：θ０＋Δθｐ≦θ≦θ０−Δθｑ）から外れたかを監視する（Ｓ２０１）。また、これと並行して、コントローラ２１１は、センサユニット２１０内の加速度センサからの信号を参照し、携帯電話機が移動したかを監視する（Ｓ２０２）。
【００５３】
かかる監視中に、たとえば、上部筐体１１が外力によって開く方向に回動し（Ｓ２０１：ＹＥＳ）、あるいは、携帯電話機が持ち上げられると（Ｓ２０２：ＹＥＳ）、コントローラ２１１は、シャッタードライバ２０２を、シャッター作動状態（図４（ａ）または（ｃ）参照）に設定し（Ｓ２０３）、また、光源部１５１およびアクチュエータ１５３ｂを非駆動状態に設定する（Ｓ２０４）。さらに、メイン表示部１４とサブ表示部２１を、ノーマル表示モードにおける状態に切り替える（Ｓ２０５）。
【００５４】
図７（ａ）の処理によれば、上部筐体１１が回動し、あるいは、携帯電話機が持ち上げられたような場合に、シャッター１６によるシャッター機能がＯＮされ、且つ、プロジェクタ部１５からの投写が中止されるため、プロジェクタ部１５からの投写光が不所望な方向に出射されるのを防止することができる。よって、プロジェクタ動作時の安全性を高めることができる。
【００５５】
図７（ｂ）は、プロジェクタモードの進行中に、メイン操作ボタン部１８への操作入力があり、または、外部から電話またはメールを受信したときの動作フローを示す図である。なお、この動作フローは、同図（ａ）の動作フローに並行して行われると好ましいものである。
【００５６】
プロジェクタモードの進行中、コントローラ２１１は、メイン操作ボタン部１８への操作入力があったかを監視し（Ｓ３０１）。また、これと並行して、外部から電話またはメールを受信したかを監視する（Ｓ３０２）。
【００５７】
かかる監視中に、メイン操作ボタン部１８への操作入力があり（Ｓ３０１：ＹＥＳ）、あるいは、外部から電話またはメールを受信すると（Ｓ３０２：ＹＥＳ）、コントローラ２１１は、シャッタードライバ２０２を、シャッター作動状態（図４（ａ）または（ｃ）参照）に設定し（Ｓ３０３）、また、光源部１５１およびアクチュエータ１５３ｂを非駆動状態に設定する（Ｓ３０４）。さらに、メイン表示部１４とサブ表示部２１を、ノーマル表示モードにおける状態に切り替える（Ｓ３０５）。
【００５８】
プロジェクタモードの進行中に、メイン操作ボタン部１８への操作が行われると、上部筐体１１が開く方向に回動し、あるいは、携帯電話機の向きに変化が起こりやすく、これにより、プロジェクタ部１５からの投写光が不所望な方向に出射される惧れがある。また、プロジェクタモードの進行中に、電話やメールを受信すると、ユーザは、反射的に携帯電話機を持ち上げる可能性があり、これにより、プロジェクタ部１５からの投写光が不所望な方向に出射されることが起こり得る。
【００５９】
図７（ｂ）の処理によれば、このような場合に、シャッター１６によるシャッター機能がＯＮされ、且つ、プロジェクタ部１５からの投写が中止されるため、プロジェクタ部１５からの投写光が不所望な方向に出射されるのを未然に防止することができる。よって、プロジェクタ動作時の安全性を高めることができる。
【００６０】
以上、本実施の形態によれば、図８に示すように上部筐体１１の回動角度が適正角度θ０近傍にあるときにのみ、シャッター１６が開放され、且つ、プロジェクタ部１５が駆動され、図８（ｂ）または（ｃ）に示すように上部筐体１１の回動角度が適正角度θ０よりも小さい角度θ１にあり、あるいは、適正角度θ０よりも大きい角度θ２にあるときには、シャッター１６が閉じ、且つ、プロジェクタ部１５が非駆動状態とされるため、プロジェクタ部１５からの投写光が不所望な方向に出射されるのを防止することができ、プロジェクタ動作時の安全性を高めることができる。
【００６１】
また、同図（ａ）に示す如く、下部筐体１２の側面に、画像送りボタン等、プロジェクタモード時に行われる操作に必要な操作ボタンを有するサブ操作ボタン部２７が配されているため、プロジェクタ動作時における操作性を高めることができる。
【００６２】
なお、同図（ｂ）の状態においては、万一、シャッター１６が機能せず、また、プロジェクタ部１５が非作動状態とならないような事態が生じても、プロジェクタ部１５からの投写光は、下部筐体１２の上面に投写されるため、外部に投写光が直接漏れることはない。この場合、上部筐体１１の下面と下部筐体１２の上面との間で反射を繰り返すうちに投写光は減衰するため、投写光が万一外部に漏れるとしても、その強度は顕著に低いものとなり、安全性を阻害することはない。
【００６３】
なお、本発明は、上記実施の形態に何ら制限されるものではなく、本発明の実施形態も上位以外に種々の変更が可能である。
【００６４】
たとえば、上記実施の形態では、シャッター１６を制御信号によって駆動されるものとしたが、図９に示す如く、シャッター板１６ｄを、上部筐体１１の回動にメカ的に連係してスライドさせるようにしても良い。ここでは、２つの回転軸３１、３２とこれを連結するバー３４からなるカム機構３０が配され、また、上部筐体１１の側面には、回転軸３２を案内するガイド孔３３が形成されている。さらに、シャッター板１６ｄは、図４に示す開口１６ａを塞ぐ位置と開口１６を開放する位置に変位可能に上部筐体１１内に支持され、このシャッター板１６ｄと回転軸３２がメカ的に連係されている。
【００６５】
上部筐体１１が、同図（ａ）の回動位置にあるとき、シャッター板１６ｄは、開口１６ａを塞ぐ位置に位置づけられる。よって、万一、プロジェクタ部１５から投写光が出射されても、投写光が外部に出射されることはない。上部筐体１１が、同図（ａ）の回動位置から同図（ｂ）に示すプロジェクタ動作のための回動位置に回動すると、シャッター板１６ｄは、回転軸３２の変位に伴って変位し、開口１６ａから離れた位置に位置づけられる。よって、プロジェクタ部１５からの投写光は、開口１６ａを介してミラー部２０に導かれ、スクリーンへと投写される。
【００６６】
この他、バッテリー残量に応じてプロジェクタ動作を制御しても良い。プロジェクタモード動作時には、光源部１５１における消費電力が高くなり、バッテリー内の蓄電量が減り易い。よって、バッテリー残量をプロジェクタ画面に表示し、あるいは、残量に応じて画面サイズを変更する等の制御を行っても良い。
【００６７】
さらに、上記実施の形態では、投写光をスクリーン上において走査させるタイプのプロジェクタを携帯電話機に配するようにしたが、これ以外のタイプのプロジェクタを配するようにしても良い。たとえば、回折により画像を生成するホログラムパターンを液晶素子上に描画するタイプのプロジェクタを用いることもできる。
【００６８】
本発明の実施の形態は、特許請求の範囲に示された技術的思想の範囲内において、適宜、種々の変更が可能である。
【図面の簡単な説明】
【００６９】
【図１】実施の形態に係る携帯電話機の外観構成を示す図
【図２】実施の形態に係るプロジェクタ部とミラー部の関係を示す図
【図３】実施の形態に係るプロジェクタ部の構成を示す図
【図４】実施の形態に係るシャッターの構成を示す図
【図５】実施の形態に係る携帯電話機の回路構成を示す図
【図６】実施の形態に係る携帯電話機の表示動作を示すフローチャート。
【図７】実施の形態に係るプロジェクタモードの中止処理示すフローチャート。
【図８】実施の形態に係る携帯電話機の投写機能を説明する図
【図９】実施の形態に係るシャッターの他の構成例を示す図
【符号の説明】
【００７０】
１１  上部筐体
１２  下部筐体
１３  ヒンジ部
１５  プロジェクタ部
１６  シャッター
２０  ミラー部
２７  サブ操作ボタン部
２００  ミラードライバ
２０１  レーザドライバ
２０２  シャッタードライバ
２０４  画像処理ユニット
２１０  センサユニット
２１１  コントローラ  
【図１】
0005039537.tif 000002
【図２】
0005039537.tif 000003
【図３】
0005039537.tif 000004
【図４】
0005039537.tif 000005
【図５】
0005039537.tif 000006
【図６】
0005039537.tif 000007
【図７】
0005039537.tif 000008
【図８】
0005039537.tif 000009
【図９】
0005039537.tif 000010